(57)【要約】【課題】被測定者の除脂肪量データと年齢データとに基づいて基礎代謝量を算出し得る公知の基礎代謝量測定装置を改良することにより、妊婦の基礎代謝量を簡便に、且つ、正確に測定することが可能な基礎代謝量測定装置を提供する。【解決手段】被測定者たる妊婦の非妊娠時の除脂肪量データと年齢データとに基づいて非妊娠時の基礎代謝量を算出すると共に、妊娠後の経過期間データに基づいて妊娠後のエネルギー増加量を算出し、且つ、これら非妊娠時の基礎代謝量と妊娠後のエネルギー増加量とを合算して当該妊婦の基礎代謝量とするものである。尚、非妊娠時の除脂肪量データは、少なくとも測定日現在の身長データと体重データとインピーダンスデータと妊娠後の体重増加量データとに基づいて算出されるものである。【選択図】  図４
2006288678.tif 000002
【特許請求の範囲】
【請求項１】
被測定者の年齢データを取得する年齢データ取得手段と、被測定者の身長データを取得する身長データ取得手段と、被測定者の体重データを取得する体重データ取得手段と、被測定者の生体電気インピーダンスデータを取得するインピーダンスデータ取得手段と、被測定者の除脂肪量データを取得する除脂肪量データ取得手段と、少なくとも除脂肪量データと年齢データとに基づいて被測定者の基礎代謝量を算出する基礎代謝量算出手段とを備えてなる基礎代謝量測定装置であって、
被測定者が妊婦である場合にその妊娠後の体重増加量データを取得する体重増加量データ取得手段と、被測定者が妊婦である場合にその妊娠後の経過期間データを取得する妊娠期間データ取得手段と、被測定者が妊婦である場合にその非妊娠時の年齢データを取得する非妊娠時年齢データ取得手段とを更に備え、
前記除脂肪量データ取得手段は、少なくとも取得された身長データと体重データとインピーダンスデータと体重増加量データとに基づいて被測定者たる妊婦の非妊娠時の除脂肪量データを算出し、
前記基礎代謝量算出手段は、少なくとも非妊娠時の除脂肪量データと年齢データとに基づいて被測定者たる妊婦の非妊娠時の基礎代謝量を算出すると共に、妊娠期間データに基づいて妊娠後のエネルギー増加量を算出し、且つ、これら非妊娠時の基礎代謝量と妊娠後のエネルギー増加量とを合算することによって、被測定者たる妊婦の基礎代謝量を算出することを特徴とする基礎代謝量測定装置。
【請求項２】
請求項１記載の基礎代謝量測定装置であって、前記除脂肪量データ取得手段は、少なくとも身長データと体重データとインピーダンスデータとに基づいて被測定者たる妊婦の体脂肪量データを算出する体脂肪量データ算出手段と、体重増加量データに所定の比率を乗じることによって得られた値を被測定者たる妊婦の妊娠後の体脂肪変化量データと決定する体脂肪変化量データ決定手段と、算出された体脂肪量データと決定された体脂肪変化量データとに基づいて被測定者たる妊婦の非妊娠時の除脂肪量データを算出する非妊娠時除脂肪量データ算出手段とを含んでなることを特徴とする基礎代謝量測定装置。
【請求項３】
請求項２記載の基礎代謝量測定装置であって、前記所定の比率が約５８％であることを特徴とする基礎代謝量測定装置。
【請求項４】
請求項１乃至３記載の基礎代謝量測定装置であって、前記体重増加量データ取得手段は、被測定者たる妊婦の非妊娠時の体重データを取得する非妊娠時体重データ取得手段と、この非妊娠時の体重データと前記体重データ取得手段で取得された体重データとに基づいて妊娠後の体重増加量データを算出する体重増加量データ算出手段とを含んでなることを特徴とする基礎代謝量測定装置。
【請求項５】
請求項１乃至４記載の基礎代謝量測定装置であって、前記妊娠期間データ取得手段は、測定日データを取得する測定日データ取得手段と、被測定者たる妊婦の出産予定日データを取得する出産予定日データ取得手段と、これら測定日データと出産予定日データとに基づいて妊娠後の経過期間データを決定する妊娠期間データ決定手段とを含んでなることを特徴とする基礎代謝量測定装置。
【請求項６】
請求項１乃至５記載の基礎代謝量測定装置であって、前記非妊娠時年齢データ取得手段は、被測定者たる妊婦の生年月日データを取得する生年月日データ取得手段と、被測定者たる妊婦の出産予定日データを取得する出産予定日データ取得手段と、これら生年月日データと出産予定日データとに基づいて非妊娠時の年齢データを決定する非妊娠時年齢データ決定手段とを含んでなることを特徴とする基礎代謝量測定装置。
【発明の詳細な説明】
【技術分野】
【０００１】
本発明は、被測定者の除脂肪量データと年齢データとに基づいて基礎代謝量を算出し得る基礎代謝量測定装置に関し、特に被測定者が妊婦である場合においてもその基礎代謝量を算出し得る基礎代謝量測定装置に関する。
【背景技術】
【０００２】
被測定者の基礎代謝量を正確に測定するためには、呼気分析計等の大掛かりな装置が必要となる。呼気分析計を用いた基礎代謝量測定では、被測定者はマスクやマウスピースを着用して長時間安静を保たなければならず、被測定者に掛かる負担が大きい。また、斯かる装置の操作や測定結果の評価には、専門家を必要とする。
【０００３】
そこで、厚生労働省からは、例えば非特許文献１に示される如く、統計学的に標準的な基礎代謝量が算出できるよう、性別及び年齢に基づく基礎代謝基準値に体重を乗算することで得られる基礎代謝量が提示されており、基礎代謝量の簡便な推定に用いられている。
【０００４】
また、本願出願人の下では、被測定者の除脂肪量や年齢に基づいてその基礎代謝量を簡便に算出し得る方法及び装置が開発されて実用に供されると共に、特許文献１及び２の如く、特許出願もなされている。
【０００５】
尚、特許文献１及び２に開示された基礎代謝量の演算方法及び測定装置は、例えば特許文献３及び４に開示された如き所謂生体電気インピーダンス法を用いた体脂肪計や体組成計に組込まれて実用化されており、斯かる生体電気インピーダンス法に基づいて測定される除脂肪量を重要なパラメータとする推定式によって、被測定者の基礎代謝量が算出されるものである。
【０００６】
一方で、被測定者が妊婦である場合においては、その基礎代謝量は、胎児の成長や胎児に付属する臓器、子宮等の増大により、妊娠期間の後半期に２０％から３０％増加することが知られており、例えば非特許文献２には、妊娠各期における臓器別酸素消費の増加量が開示されている。
【０００７】
また、本願出願人の下では、被測定者が妊婦である場合において、その非妊娠時から測定時までの体脂肪の変化量及び体水分の変化量が、当該期間における体重増加量のそれぞれ約５８％及び約２９％に相当することが確認されており、例えば特許文献５及び６の如く、斯かる関係を利用した妊婦用体組成管理装置及び妊婦用健康管理装置の特許出願もなされている。
【０００８】
【非特許文献１】健康・栄養情報研究会編「第六次改訂  日本人の栄養所要量  食事摂取基準」第一出版株式会社、平成１１年９月１０日、ｐ．３５−３６
【非特許文献２】大中正治著「妊婦における栄養指導／正常妊婦の栄養指導  ２エネルギー」、一條元彦編「ＭＥＤＩＣＵＳ  ＬＩＢＲＡＲＹ  ５  母子にすすめる栄養指導」株式会社メディカ出版、１９９７年４月１５日、ｐ．４０−４４
【特許文献１】特開２００２−１１２９８２号公報
【特許文献２】特開２００２−１７２０９９号公報
【特許文献３】特公平５−４９０５０号公報
【特許文献４】特許第２８３５６６２号公報
【特許文献５】特開２００４−３５１０５３号公報
【特許文献６】特願２００４−２１８８４８号明細書
【発明の開示】
【発明が解決しようとする課題】
【０００９】
被測定者が妊婦である場合、その身体は特別な状況下にあるため、基礎代謝量の測定に非妊娠者にとっても負担が大きい呼気分析計等を用いるのは、あまり好まれない。
【００１０】
また、厚生労働省から提示されている非特許文献１の如き算出方法や、本願出願人の下で開発された特許文献１及び２の如き演算方法及び測定装置は、簡便ではあるが何れも非妊娠者を対象としており、これらを妊婦に用いた場合の結果は参考にはなるものの正確であるとは言い難く、妊婦の基礎代謝量測定に適したものではない。
【００１１】
本願出願人は、複数の妊婦の協力を得て、厚生労働省の算出方法並びに特許文献１及び２の演算方法及び測定装置の正確性について検証を行った。
【００１２】
図８において、横軸は厚生労働省の算出方法を用いて算出した基礎代謝量を、縦軸は呼気分析計を用いて測定した基礎代謝量を表しており、被測定者たる各妊婦の算出基礎代謝量と測定基礎代謝量とが、検証データとして図中にプロットされている。図中の破線が横軸の値と縦軸の値との一致を表すものであるが、各被測定者の検証データから求められる平均線（実線）がこの破線から乖離していることから、この算出方法では妊婦の基礎代謝量を正確に算出し難いことが判る。
【００１３】
また、図９において、横軸は特許文献１に開示された演算方法のうち、特に算定式：ＢＭＲ＝Ａ１×ＦＦＭ２＋Ｂ１×ＦＦＭ＋Ｃ１×（１／ＡＧＥ）＋Ｄ１×Ｗｔ＋Ｅ１（但し、ＢＭＲは基礎代謝量を、ＦＦＭは除脂肪量を、ＡＧＥは年齢を、Ｗｔは体重を、Ａ１、Ｂ１、Ｃ１、Ｄ１、Ｅ１は定数を表す。）を用いて算出した基礎代謝量を、縦軸は呼気分析計を用いて測定した基礎代謝量を表しており、被測定者たる各妊婦の算出基礎代謝量と測定基礎代謝量とが、検証データとして図中にプロットされている。図８の場合と同様、図中の破線が横軸の値と縦軸の値との一致を表すものであるが、各被測定者の検証データから求められる平均線（実線）がこの破線から乖離していることから、この算定式を以ってしても妊婦の基礎代謝量を正確に算出するのは難しいことが判る。
【００１４】
本発明は、被測定者の除脂肪量データと年齢データとに基づいて基礎代謝量を算出し得る公知の基礎代謝量測定装置を改良することにより、妊婦の基礎代謝量を簡便に、且つ、正確に測定することが可能な基礎代謝量測定装置を提供することを目的とする。
【課題を解決するための手段】
【００１５】
本発明の基礎代謝量測定装置は、被測定者の年齢データを取得する年齢データ取得手段と、被測定者の身長データを取得する身長データ取得手段と、被測定者の体重データを取得する体重データ取得手段と、被測定者の生体電気インピーダンスデータを取得するインピーダンスデータ取得手段と、被測定者の除脂肪量データを取得する除脂肪量データ取得手段と、少なくとも除脂肪量データと年齢データとに基づいて被測定者の基礎代謝量を算出する基礎代謝量算出手段とを備えてなる基礎代謝量測定装置であって、被測定者が妊婦である場合にその妊娠後の体重増加量データを取得する体重増加量データ取得手段と、被測定者が妊婦である場合にその妊娠後の経過期間データを取得する妊娠期間データ取得手段と、被測定者が妊婦である場合にその非妊娠時の年齢データを取得する非妊娠時年齢データ取得手段とを更に備え、前記除脂肪量データ取得手段は、少なくとも取得された身長データと体重データとインピーダンスデータと体重増加量データとに基づいて被測定者たる妊婦の非妊娠時の除脂肪量データを算出し、前記基礎代謝量算出手段は、少なくとも非妊娠時の除脂肪量データと年齢データとに基づいて被測定者たる妊婦の非妊娠時の基礎代謝量を算出すると共に、妊娠期間データに基づいて妊娠後のエネルギー増加量を算出し、且つ、これら非妊娠時の基礎代謝量と妊娠後のエネルギー増加量とを合算することによって、被測定者たる妊婦の基礎代謝量を算出するものである。
【００１６】
斯かる本発明の基礎代謝量測定装置において、前記除脂肪量データ取得手段は、少なくとも身長データと体重データとインピーダンスデータとに基づいて被測定者たる妊婦の体脂肪量データを算出する体脂肪量データ算出手段と、体重増加量データに所定の比率を乗じることによって得られた値を被測定者たる妊婦の妊娠後の体脂肪変化量データと決定する体脂肪変化量データ決定手段と、算出された体脂肪量データと決定された体脂肪変化量データとに基づいて被測定者たる妊婦の非妊娠時の除脂肪量データを算出する非妊娠時除脂肪量データ算出手段とを含んでなることとする。
【００１７】
ここで、前記所定の比率が、約５８％であることとする。
【００１８】
また、本発明の基礎代謝量測定装置において、前記体重増加量データ取得手段は、被測定者たる妊婦の非妊娠時の体重データを取得する非妊娠時体重データ取得手段と、この非妊娠時の体重データと前記体重データ取得手段で取得された体重データとに基づいて妊娠後の体重増加量データを算出する体重増加量データ算出手段とを含んでなることとする。
【００１９】
更に、本発明の基礎代謝量測定装置において、前記妊娠期間データ取得手段は、測定日データを取得する測定日データ取得手段と、被測定者たる妊婦の出産予定日データを取得する出産予定日データ取得手段と、これら測定日データと出産予定日データとに基づいて妊娠後の経過期間データを決定する妊娠期間データ決定手段とを含んでなることとする。
【００２０】
更に、本発明の基礎代謝量測定装置において、前記非妊娠時年齢データ取得手段は、被測定者たる妊婦の生年月日データを取得する生年月日データ取得手段と、被測定者たる妊婦の出産予定日データを取得する出産予定日データ取得手段と、これら生年月日データと出産予定日データとに基づいて非妊娠時の年齢データを決定する非妊娠時年齢データ決定手段とを含んでなることとする。
【発明の効果】
【００２１】
本発明の基礎代謝量測定装置は、被測定者たる妊婦の非妊娠時の除脂肪量データと年齢データとに基づいて非妊娠時の基礎代謝量を算出すると共に、妊娠後の経過期間データに基づいて妊娠後のエネルギー増加量を算出し、且つ、これら非妊娠時の基礎代謝量と妊娠後のエネルギー増加量とを合算して当該妊婦の基礎代謝量とするものである。尚、非妊娠時の除脂肪量データは、少なくとも測定日現在の身長データと体重データとインピーダンスデータと、妊娠後の体重増加量データとに基づいて算出されるものである。従って、本発明の基礎代謝量測定装置は、公知の基礎代謝量測定装置に用いられている推定式を利用することによって被測定者たる妊婦の非妊娠時の基礎代謝量を算出すると共に、妊娠週数等の妊娠期間データに基づいて妊娠後のエネルギー増加量を算出し、最終的にこれらの和を求めるだけの簡単な演算処理プログラムによって、妊婦の基礎代謝量を簡便に、且つ、正確に測定することが可能となる。
【００２２】
また、本発明の基礎代謝量測定装置において、非妊娠時の除脂肪量データを、少なくとも身長データと体重データとインピーダンスデータとに基づいて被測定者たる妊婦の体脂肪量データを算出する体脂肪量データ算出手段と、当該妊婦の妊娠後の体重増加量データに所定の比率（好ましくは約５８％）を乗じることによって得られた値を妊娠後の体脂肪変化量データと決定する体脂肪変化量データ決定手段と、これら体脂肪量データと体脂肪変化量データとに基づいて非妊娠時の除脂肪量データを算出する非妊娠時除脂肪量データ算出手段とを含んでなる除脂肪量データ取得手段によって算出する場合は、非妊娠時から測定時までの体重増加量と体脂肪変化量との間の関係を利用して、簡便に非妊娠時の除脂肪量データを取得することが可能となる。
【００２３】
また、本発明の基礎代謝量測定装置において、妊娠後の体重増加量データを、被測定者たる妊婦の非妊娠時の体重データを取得する非妊娠時体重データ取得手段と、この非妊娠時の体重データと体重データ取得手段で取得された現在の体重データとに基づいて妊娠後の体重増加量データを算出する体重増加量データ算出手段とを含んでなる体重増加量データ取得手段によって取得する場合は、多くの妊婦が記憶している非妊娠時の体重データを利用して、簡便に妊娠後の体重増加量データを取得することが可能となる。
【００２４】
更に、本発明の基礎代謝量測定装置において、妊娠後の経過期間データを、測定日データを取得する測定日データ取得手段と、被測定者たる妊婦の出産予定日データを取得する出産予定日データ取得手段と、これら測定日データと出産予定日データとに基づいて妊娠後の経過期間データを決定する妊娠期間データ決定手段とを含んでなる妊娠期間データ取得手段によって取得する場合には、本発明の基礎代謝量測定装置を使用する測定日や多くの妊婦が認識している出産予定日といった特定し易い日付データを利用して、簡便に妊娠後の経過期間データを取得することが可能となる。
【００２５】
更に、本発明の基礎代謝量測定装置において、非妊娠時の年齢データを、被測定者たる妊婦の生年月日データを取得する生年月日データ取得手段と、被測定者たる妊婦の出産予定日データを取得する出産予定日データ取得手段と、これら生年月日データと出産予定日データとに基づいて非妊娠時の年齢データを決定する非妊娠時年齢データ決定手段とを含んでなる非妊娠時年齢データ取得手段によって取得する場合には、多くの妊婦が認識している生年月日や出産予定日といった特定し易い日付データを利用して、簡便に非妊娠時の年齢データを取得することが可能となる。
【発明を実施するための最良の形態】
【００２６】
本発明の基礎代謝量測定装置は、被測定者の年齢データを取得する年齢データ取得手段と、被測定者の身長データを取得する身長データ取得手段と、被測定者の体重データを取得する体重データ取得手段と、被測定者の生体電気インピーダンスデータを取得するインピーダンスデータ取得手段と、被測定者の除脂肪量データを取得する除脂肪量データ取得手段と、少なくとも除脂肪量データと年齢データとに基づいて被測定者の基礎代謝量を算出する基礎代謝量算出手段とを備えてなる基礎代謝量測定装置であって、被測定者が妊婦である場合にその妊娠後の体重増加量データを取得する体重増加量データ取得手段と、被測定者が妊婦である場合にその妊娠後の経過期間データを取得する妊娠期間データ取得手段と、被測定者が妊婦である場合にその非妊娠時の年齢データを取得する非妊娠時年齢データ取得手段とを更に備え、前記除脂肪量データ取得手段は、少なくとも取得された身長データと体重データとインピーダンスデータと体重増加量データとに基づいて被測定者たる妊婦の非妊娠時の除脂肪量データを算出し、前記基礎代謝量算出手段は、少なくとも非妊娠時の除脂肪量データと年齢データとに基づいて被測定者たる妊婦の非妊娠時の基礎代謝量を算出すると共に、妊娠期間データに基づいて妊娠後のエネルギー増加量を算出し、且つ、これら非妊娠時の基礎代謝量と妊娠後のエネルギー増加量とを合算することによって、被測定者たる妊婦の基礎代謝量を算出するものである。
【００２７】
斯かる本発明の基礎代謝量測定装置において、前記除脂肪量データ取得手段は、少なくとも身長データと体重データとインピーダンスデータとに基づいて被測定者たる妊婦の体脂肪量データを算出する体脂肪量データ算出手段と、体重増加量データに所定の比率（好ましくは約５８％）を乗じることによって得られた値を被測定者たる妊婦の妊娠後の体脂肪変化量データと決定する体脂肪変化量データ決定手段と、算出された体脂肪量データと決定された体脂肪変化量データとに基づいて被測定者たる妊婦の非妊娠時の除脂肪量データを算出する非妊娠時除脂肪量データ算出手段とを含んでなることが望ましい。
【００２８】
また、本発明の基礎代謝量測定装置において、前記体重増加量データ取得手段は、被測定者たる妊婦の非妊娠時の体重データを取得する非妊娠時体重データ取得手段と、この非妊娠時の体重データと前記体重データ取得手段で取得された体重データとに基づいて妊娠後の体重増加量データを算出する体重増加量データ算出手段とを含んでなることが望ましい。
【００２９】
更に、本発明の基礎代謝量測定装置において、前記妊娠期間データ取得手段は、測定日データを取得する測定日データ取得手段と、被測定者たる妊婦の出産予定日データを取得する出産予定日データ取得手段と、これら測定日データと出産予定日データとに基づいて妊娠後の経過期間データを決定する妊娠期間データ決定手段とを含んでなることが望ましい。
【００３０】
更に、本発明の基礎代謝量測定装置において、前記非妊娠時年齢データ取得手段は、被測定者たる妊婦の生年月日データを取得する生年月日データ取得手段と、被測定者たる妊婦の出産予定日データを取得する出産予定日データ取得手段と、これら生年月日データと出産予定日データとに基づいて非妊娠時の年齢データを決定する非妊娠時年齢データ決定手段とを含んでなることが望ましい。
【実施例】
【００３１】
以下、本発明の実施例について、図１から図７までを参照して説明する。図１は、本発明の実施例たる基礎代謝量測定装置１の外観斜視図である。図２は、基礎代謝量測定装置１の操作部の拡大図である。図３は、基礎代謝量測定装置１の電気回路構成を表す概略図である。図４は、基礎代謝測定装置１で実行される制御処理プログラムのメインルーチンのフローチャートである。図５は、基礎代謝測定装置１で実行される制御処理プログラムのサブルーチンのフローチャートである。図６は、妊娠週数と妊娠期増加分エネルギー量との関係を表す図である。図７は、基礎代謝量測定装置１における印刷出力例を表す図である。
【００３２】
本発明の実施例たる基礎代謝量測定装置１（以下、単に「装置１」と略称することがある。）は、所謂生体電気インピーダンス法を利用して被測定者の体脂肪量、除脂肪量、体水分量、筋肉量、骨量等といった各種の体組成データを算出し得る体組成計であって、特に被測定者の除脂肪量データと年齢データとに基づいてその基礎代謝量を算出し得る公知の基礎代謝量測定装置が組込まれた体組成計を改良したものである。
【００３３】
斯かる装置１は、被測定者が起立して載るための載台２と、被測定者自身又はこの装置のオペレータ（以下、これらの者を「使用者」と総称することがある。）が各種データの入力や出力を行うための入出力ユニット３と、この入出力ユニット３を載台２に固定しつつ両者を電気的に結合するための配線等を内蔵した支柱４とで構成されている。
【００３４】
載台２の内部には、体重測定センサ２Ａとして、被測定者が載ることによって発生する荷重を検出するための所謂ロードセルが組込まれている。また、載台２の上面には、被測定者の左足裏に接触させるための電極５Ａ、５Ｂと、右足裏に接触させるための電極６Ａ、６Ｂとが、それぞれ絶縁された状態で配設されている。
【００３５】
入出力ユニット３には、使用者の操作を受付けるためのスイッチパネルを含む操作部７と、この装置１で取得される各種のデータを表示出力するための液晶画面を含む表示部８と、斯かるデータを印刷出力するためのサーマルプリンタを含む印刷部９とが組込まれている。ここで、操作部７のスイッチパネルには、この装置１を起動又は停止するための電源キー１０と、被測定者の着衣重量の設定を行うための風袋量設定キー１１と、日時の設定を行うための日時設定キー１２、被測定者の性別及び体型、又は被測定者が妊婦であるかどうかの設定を行うためのステータス設定キー１３と、被測定者の身長や生年月日、出産予定日等の設定を行うためのテンキー１４とが配設されている。
【００３６】
また、入出力ユニット３の内部には、後述する各種の制御処理プログラムを実行するためのプロセッサや一時保存メモリを含む制御部１５と、前述の電極５Ａ及び電極６Ａに電気的に接続されてこれらの電極に交流定電流を供給するための定電流発生回路１６と、前述の電極５Ｂ及び電極６Ｂに電気的に接続されて両電極間の電位差を測定するための電圧測定回路１７と、制御部１５で実行される制御処理プログラムが格納された読出し専用のマスクメモリ及び斯かる制御処理の結果等を保存するための書換え可能なフラッシュメモリを含むメモリ１８と、制御部１５における制御処理を規律するための時計回路１９とが組込まれている。更に、入出力ユニット３には、制御部１５を始めとしてこの装置１で消費する電力を供給するための電源２０が内蔵されている。
【００３７】
そして、制御部１５は、体重測定センサ２Ａ、操作部７、表示部８、印刷部９、定電流発生回路１６、電圧測定回路１７、メモリ１８、時計回路１９のそれぞれと電気的に接続されており、被測定者の体重測定や使用者からの入力操作の受付け、電極５Ａ、６Ａに対する電流供給や電極５Ｂ、６Ｂ間の電位差測定、更には被測定者の生体電気インピーダンスの測定やこれに基づく体組成の算定、斯かる算定結果の表示出力や印刷出力といった制御処理を実行する。
【００３８】
以下、この装置１で実行される制御処理を、フローチャートを参照して説明する。使用者が電源キー１０を押下してこの装置１を起動すると、制御部１５は、図４のフローチャートで表される制御処理を実行する。
【００３９】
ステップＳ１では、初期化処理が実行される。即ち、例えば制御部１５の一時保存メモリに残留している前回測定時の一時データ等を消去すると共に、後述するマタニティモードのフラグをクリアする。この時、制御部１５では、時計回路１９で計時されている現在日時データが取得されると共に、風袋量の初期データ（例えば１．５ｋｇ）がメモリ１８から読み出されて取得され、それぞれが表示部８に表示される。また、表示部８には、更に、被測定者の性別及び体型の設定を促すサイン又はメッセージが表示される。
【００４０】
ステップＳ２では、日時設定キー１２が押下されたかどうかが確認され、押下された場合はステップＳ３を経てステップＳ４に進み、押下されない場合はステップＳ３を飛ばしてステップＳ４に進む。尚、使用者は、表示部８に表示されている現在日時データを変更する必要がなければ、日時設定キー１２を押下する必要はない。
【００４１】
ステップＳ３では、現在日時データが再取得される。即ち、制御部１５は、テンキー１４からの入力を受付け、使用者がテンキー１４を用いて日時データを入力すると、時計回路１９で計時されている現在日時がこの入力された日時データで置換される。以後、この入力された日時データが、現在日時データとして時計回路１９で引続き計時される。
【００４２】
ステップＳ４では、風袋量設定キー１１が押下されたかどうかが確認され、押下された場合はステップＳ５を経てステップＳ６に進み、押下されない場合はステップＳ５を飛ばしてステップＳ６に進む。尚、使用者は、表示部８に表示されている風袋量データを変更する必要がなければ、風袋量設定キー１１を押下する必要はない。
【００４３】
ステップＳ５では、被測定者の風袋量データが再取得される。即ち、制御部１５は、テンキー１４からの入力を受付け、使用者がテンキー１４を用いて風袋量データを入力すると、メモリ１８から読み出された風袋量の初期データがこの入力された風袋量データで置換される。この入力された風袋量データは、被測定者の実際の風袋量として一時保存メモリに保存され、後述する体重の測定処理に供される。
【００４４】
ステップＳ６では、被測定者のステータスデータが取得される。即ち、制御部１５は、ステータス設定キー１３からの入力を受付け、使用者がステータス設定キー１３に含まれる「男性スタンダード」「男性アスリート」「女性スタンダード」「女性アスリート」「マタニティ」の５つのキースイッチの何れかを選択して押下すると、押下されたキースイッチに応じて被測定者のステータスデータが決定され、一時保存メモリに保存される。特に、「マタニティ」のキースイッチが押下された場合には、後述するマタニティモードの制御処理を実行するためのフラグがセットされる。尚、このフラグは、前記ステップＳ１の初期化処理において予めクリアされている。
【００４５】
次いで、ステップＳ７では、被測定者の年齢データが取得される。表示部８には、被測定者の生年月日の入力を促すサイン又はメッセージが表示され、制御部１５は、テンキー１４からの入力を受付ける。使用者がテンキー１４を用いて被測定者の生年月日データを入力すると、この生年月日データと現在日時データとに基づいて被測定者の年齢データが算出され、一時保存メモリに保存される。尚、生年月日データの入力に代えて、年齢データを直接入力するようにすることも可能である。
【００４６】
次いで、ステップＳ８では、被測定者の身長データが取得される。表示部８には、被測定者の身長の入力を促すサイン又はメッセージが表示され、制御部１５は、テンキー１４からの入力を受付ける。使用者がテンキー１４を用いて被測定者の身長データを入力すると、この身長データが一時保存メモリに保存される。尚、テンキー１４による身長データ入力に代えて、例えば電気又は磁気を利用した位置センサを含む電子身長計をこの装置１に付加しておき、斯かる電子身長計で測定される身長データを制御部１５で受付けるようにすることも可能である。
【００４７】
次いで、ステップＳ９では、被測定者の生活活動強度データが取得される。表示部８には、被測定者の生活活動強度データの入力を促すサイン又はメッセージが表示され、制御部１５は、テンキー１４からの入力を受付ける。使用者がテンキー１４を用いて被測定者の生活活動強度データを入力すると、この生活活動強度データが一時保存メモリに保存される。尚、生活活動強度とは、日常生活における運動量等を数段階に分けて指数化したもので、前掲非特許文献１を始めとして広く知られているものである。
【００４８】
次いで、ステップＳ１０では、マタニティモードのフラグがセットされているかどうかが確認され、セットされている場合は後述するステップＳ１０１及びステップＳ１０２を経てステップＳ１１に進み、クリアされている場合はこれらのステップＳ１０１、Ｓ１０２を飛ばしてステップＳ１１に進む。即ち、この装置１では、使用者がステータス設定キー１３を操作することによってセットされるフラグの状態に基づいて、被測定者が妊婦であるかどうかの判別が行われるものである。
【００４９】
ステップＳ１１では、被測定者の体重データが取得される。即ち、前記ステップＳ１０の状態で又は後述するステップＳ１０２の処理が終了した状態で、被測定者が載台２の上面に立つと、被測定者の体重に応じた荷重信号が、体重測定センサ２Ａから出力される。実際には、斯かる荷重信号を制御部１５で検出することで、このステップＳ１１が開始されるものである。そして、検出された荷重信号に対応した重量データから風袋量データを差引いた値が、被測定者の体重データとして一時保存メモリに保存される。
【００５０】
次いで、ステップＳ１２では、被測定者の生体電気インピーダンスに起因してその身体に生じる電位差データが取得される。即ち、前記ステップＳ１１で被測定者が載台２の上面に起立すると、その左足裏が電極５Ａ、５Ｂに接触し、右足裏が電極６Ａ、６Ｂに接触する。（或いは、斯かる接触状態となるように起立する。）そして、被測定者の両足間には、定電圧発生回路１６から電極５Ａ及び電極６Ａを介して交流定電流が供給され、身体のインピーダンスに応じた電位差が発生する。この両足間の電位差が、電極５Ｂ及び電極６Ｂを介して電圧測定回路１７で検出され、生体電気インピーダンスに起因した電位差データとして一時保存メモリに保存される。尚、この装置１においては被測定者の左右の足裏に接触する電極５Ａ、５Ｂ、６Ａ、６Ｂを用いて両足間の電位差データを取得しているが、左右の掌に接触する電極を用いて両手間の電位差データを取得し、又は掌に接触する電極と足裏に接触する電極とを用いて手足間の電位差データを取得するようにすることも可能である。或いは、身体に付着させることができる貼付型の電極を用いて、身体の任意の部位間において電位差データを取得することも可能である。
【００５１】
次いで、ステップＳ１３では、被測定者の生体電気インピーダンスデータ（以下「ＢＩデータ」と略称することがある。）が取得される。即ち、定電流発生回路１６から被測定者の身体に供給される電流値データと、前記ステップＳ１２で取得された電位差データとを用い、オームの法則に基づいて被測定者のＢＩデータが算出され、一時保存メモリに保存される。尚、抵抗値が既知で且つ異なる複数の基準抵抗を身体に直列又は並列に配設しておき、各抵抗に起因して生じる電位差データを身体に生じる電位差データと共に取得し、取得された各電位差データと基準抵抗の抵抗値との比率に基づいて被測定者のＢＩデータを算出することも可能であり、この場合は身体に供給される電流値データが不明であってもＢＩデータを取得することができる。
【００５２】
次いで、ステップＳ１４では、マタニティモードのフラグがセットされているかどうかが再び確認され、セットされている場合は後述するステップＳ１４１からステップＳ１４４までを経ると共にステップＳ１５を飛ばしてステップＳ１６に進み、クリアされている場合はこれらのステップＳ１４１〜Ｓ１４４を飛ばしてステップＳ１５に進んだ後、ステップＳ１６に進むことになる。
【００５３】
ステップＳ１５では、被測定者たる非妊婦の基礎代謝量が取得される。この基礎代謝量は、図９の横軸と同様に、前掲特許文献１及び２に開示された算定式：ＢＭＲ＝Ａ１×ＦＦＭ２＋Ｂ１×ＦＦＭ＋Ｃ１×（１／ＡＧＥ）＋Ｄ１×Ｗｔ＋Ｅ１（但し、ＢＭＲは基礎代謝量を、ＦＦＭは除脂肪量データを、ＡＧＥは年齢データを、Ｗｔは体重データを、Ａ１、Ｂ１、Ｃ１、Ｄ１、Ｅ１は定数を表す。）に従って算出される。また、前掲特許文献３又は４を始めとして既に良く知られているように、被測定者の除脂肪量データはその体重データと体脂肪量（又は体脂肪率）データとに基づいて算出され、この体脂肪量（又は体脂肪率）データは被測定者の少なくとも身長データと体重データとＢＩデータとに基づいて算出される。即ち、メモリ１８には、これら基礎代謝量、除脂肪量データ及び体脂肪量（又は体脂肪率）データを算出するための各算定式が予め保存されており、各算定式に一時保存メモリに保存されている各種データの中から必要なデータを代入することで、被測定者たる非妊婦の基礎代謝量が算出されるものである。尚、メモリ１８には、被測定者の体水分量、筋肉量、骨量等といった他の体組成データを算出するための各算定式も保存されており、これらの体組成データも同時に算出されるものである。
【００５４】
次いで、ステップＳ１６では、前記ステップＳ１５で算出された体組成データが、表示部８に表示されると共に印刷部９で印刷される。斯かる印刷が終了し、使用者が電源キー１０を再度押下するか、所定時間が経過すると、装置１の電源がオフとなり、全ての制御処理が終了する。
【００５５】
次に、前記ステップＳ１０においてマタニティモードのフラグがセットされていた場合の制御処理について説明する。この場合は、ステップＳ１０からステップＳ１０１に進む。
【００５６】
ステップＳ１０１では、被測定者たる妊婦の妊娠後の経過期間データ（妊娠期間データ）と、非妊娠時の年齢データとが取得される。表示部８には、被測定者の出産予定日の入力を促すサイン又はメッセージが表示され、制御部１５は、テンキー１４からの入力を受付ける。使用者がテンキー１４を用いて被測定者の出産予定日データを入力すると、この出産予定日データと現在日時データとに基づいて被測定者の妊娠期間データが算出され、またこの出産予定日データと生年月日データとに基づいて非妊娠時（妊娠前）の年齢データが算出されて、一時保存メモリに保存される。即ち、出産予定日から通常の妊娠期間（例えば、４０週間）を遡ることで妊娠した日が特定され、この妊娠した日から現在の日付までをカウントすることで妊娠後の経過期間が特定される。また、出産予定日から通常の妊娠期間（例えば、４０週間）を遡ることで妊娠した日が特定され、生年月日からこの妊娠した日までをカウントすることで非妊娠時の年齢が特定される。尚、この装置１では、妊娠期間データとして妊娠週数が算出されるものである。もちろん、斯かる妊娠期間データは、妊娠日数や妊娠月数であってもよい。また、出産予定日データの入力に代えて、妊娠期間データや非妊娠時年齢データを直接入力するようにすることも可能である。
【００５７】
次いで、ステップＳ１０２では、被測定者たる妊婦の非妊娠時の体重データが取得される。表示部８には、妊娠前の体重の入力を促すサイン又はメッセージが表示され、制御部１５は、テンキー１４からの入力を受付ける。使用者がテンキー１４を用いて被測定者の妊娠前の体重データを入力すると、この妊娠前の体重データが非妊娠時の体重データとして一時保存メモリに保存される。尚、本発明の基礎代謝量測定装置（或いは、その核である妊婦の基礎代謝量を算出する方法）において、非妊娠時の体重データとは、妊娠していない状態における体重値のみを厳密に指すものではなく、妊娠後の体重値であっても、それが妊娠前の値と大きく異ならないような妊娠初期の値であれば、非妊娠時の体重データとして許容し得るものである。この許容範囲は、もちろん被測定者たる妊婦によって個人差はあるものの、例えば、本人が妊娠を疑って専門医を訪れ、そこで妊娠と診断された時点（所謂、初診時）の体重値までは含むもので、多くの場合、そのような初診時は、妊娠週数でいえば８週目くらいに相当する。従って、このステップＳ１０２において入力すべき体重データは、これを入力する使用者の裁量に負うところは大きいものの、概ね、専門医による初診時の体重値、又は妊娠８週目くらいまでの体重値であっても良い。
【００５８】
ステップＳ１０２に続くステップＳ１１からステップＳ１４までの処理は前述の通りであるが、マタニティモードのフラグがセットされていることから、ステップＳ１４の後はステップＳ１４１に進む。
【００５９】
ステップＳ１４１では、被測定者たる妊婦の非妊娠時の除脂肪量データが取得される。このステップＳ１４１における処理については、図５のサブルーチンを参照して説明する。
【００６０】
先ず、ステップＳ１４１１では、被測定者たる妊婦の体脂肪量データが算出される。前掲特許文献３又は４を始めとして既に良く知られているように、体脂肪量データは、被測定者の少なくとも身長データと体重データとＢＩデータとに基づいて算出される。即ち、このステップＳ１４１１では、一時保存メモリに保存されている身長データと体重データとＢＩデータとに基づいて、被測定者たる妊婦の体脂肪量データが算出され、一時保存メモリに保存される。
【００６１】
次に、ステップＳ１４１２では、一時保存メモリに保存されている体重データと非妊娠時の体重データとに基づいて、被測定者たる妊婦の妊娠後の体重増加量データが取得される。即ち、前記ステップＳ１１で測定された体重データから前記ステップＳ１０２で入力された妊娠前の体重データを差し引いた重量データが、体重増加量データとして一時保存メモリに保存される。
【００６２】
次に、ステップＳ１４１３では、体重増加量データに所定の比率を乗じることによって体脂肪変化量データが決定される。この装置１においては、一時保存メモリに保存されている体重増加量データに５８％（０．５８）を乗じることによって得られた重量データが、体脂肪変化量データとして一時保存メモリに保存される。
【００６３】
次に、ステップＳ１４１４では、一保存メモリに保存されている体脂肪量データと体脂肪変化量データとに基づいて、非妊娠時の体脂肪量データが算出される。即ち、前記ステップＳ１４１１で算出された体脂肪量データから前記ステップＳ１４１３で決定された体脂肪変化量データを差し引いた重量データが、非妊娠時の体脂肪量データとして一時保存メモリに保存される。
【００６４】
そして、ステップＳ１４１５において、一時保存メモリに保存されている非妊娠時の体重データと非妊娠時の体脂肪量データとに基づいて、非妊娠時の除脂肪量データが算出される。即ち、前記ステップＳ１０２で入力された妊娠前の体重データから前記ステップＳ１４１４で算出された非妊娠時の体脂肪量データを差し引いた重量データが、非妊娠時の除脂肪量データとして一時保存メモリに保存される。
【００６５】
図５のサブルーチンで構成されるステップＳ１４１の後は、ステップＳ１４２に進む。
【００６６】
ステップＳ１４２では、被測定者たる妊婦の少なくとも非妊娠時の除脂肪量データと年齢データとに基づいて、非妊娠時の基礎代謝量が取得される。この非妊娠時の基礎代謝量は、前掲特許文献１及び２に開示されると共に前記ステップＳ１５で用いた非妊婦用の基礎代謝量算定式を用いて算出すれば良く、具体的には、算定式：非妊娠時ＢＭＲ＝Ａ１×非妊娠時ＦＦＭ２＋Ｂ１×非妊娠時ＦＦＭ＋Ｃ１×（１／非妊娠時ＡＧＥ）＋Ｄ１×非妊娠時Ｗｔ＋Ｅ１（但し、非妊娠時ＢＭＲは妊婦の非妊娠時の基礎代謝量を、非妊娠時ＦＦＭは非妊娠時の除脂肪量データを、非妊娠時ＡＧＥは非妊娠時の年齢データを、非妊娠時Ｗｔは非妊娠時の体重データを、Ａ１、Ｂ１、Ｃ１、Ｄ１、Ｅ１は定数を表す。）に従って算出される。即ち、この算定式は、非妊婦用の算定式における除脂肪量データ、年齢データ及び体重データを、非妊娠時の除脂肪量データ、年齢データ及び体重データとしただけの、簡便なものである。メモリ１８には、この算定式が予め保存されており、このステップＳ１４２では、この算定式に一時保存メモリに保存されている非妊娠時の除脂肪量データと非妊娠時の年齢データと非妊娠時の体重データとを代入することで、被測定者たる妊婦の非妊娠時の基礎代謝量が算出され、一時保存メモリに保存されるものである。
【００６７】
尚、このステップＳ１４２においては、上記算定式に代えて、前掲特許文献１及び２に開示された他の基礎代謝量算定式における除脂肪量データ等を非妊娠時の除脂肪量データ等とした、次の何れかの算定式を用いてもよい。
非妊娠時ＢＭＲ＝Ａ２×非妊娠時ＦＦＭ＋Ｂ２×（１／非妊娠時ＡＧＥ）＋Ｃ２
又は
非妊娠時ＢＭＲ＝Ａ３×非妊娠時ＦＦＭ２＋Ｂ３×非妊娠時ＦＦＭ＋Ｃ３×（１／非妊娠時ＡＧＥ）＋Ｄ３
又は
非妊娠時ＢＭＲ＝Ａ４×非妊娠時ＦＦＭ＋Ｂ４×（１／非妊娠時ＡＧＥ）＋Ｃ４×非妊娠時Ｗｔ＋Ｄ４
但し、非妊娠時ＢＭＲは妊婦の非妊娠時の基礎代謝量を、非妊娠時ＦＦＭは非妊娠時の除脂肪量データを、非妊娠時ＡＧＥは非妊娠時の年齢データを、非妊娠時Ｗｔは非妊娠時の体重データを、Ａ２、Ｂ２、Ｃ２、Ａ３、Ｂ３、Ｃ３、Ｄ３、Ａ４、Ｂ４、Ｃ４、Ｄ４、Ｅ４は定数を表す。
【００６８】
次いで、ステップＳ１４３では、被測定者たる妊婦の妊娠後のエネルギー増加量が算出される。この妊娠後のエネルギー増加量とは、妊娠期に増量すべきエネルギー量を意味するものである。ここで、前掲非特許文献２の第４３頁には、表４として「妊娠各期における臓器別酸素消費の増加量」が開示されており、この表及び注釈に従えば、妊娠各期において増量すべきエネルギー量（ｋｃａｌ／日）は、妊娠５週において１９．９、妊娠１０週において３９．７、妊娠１５週において６２．０、妊娠２０週において８４．３、妊娠２５週において１１５．９、妊娠３０週において１４７．５、妊娠３５週において１８６．１、妊娠４０週において２２４．８となる。斯かる妊娠後のエネルギー増加量と妊娠週数との関係をグラフにすると、図６に示す如く、妊娠週数（横軸）と妊娠後のエネルギー増加量（縦軸）との間には、算定式：妊娠後のエネルギー増加量＝ａ×妊娠週数２＋ｂ×妊娠週数＋ｃ（但し、ａ、ｂ、ｃは定数を表す。）で表される関係があることが判る。即ち、この装置１のメモリ１８には、この算定式が予め保存されており、このステップＳ１４３では、この算定式に一時保存メモリに保存されている妊娠週数を代入することで、被測定者たる妊婦の妊娠後のエネルギー増加量が算出され、一時保存メモリに保存されるものである。
【００６９】
次いで、ステップＳ１４４では、被測定者たる妊婦の基礎代謝量が取得される。この妊婦の基礎代謝量は、非妊娠時の基礎代謝量と妊娠後のエネルギー増加量とを合算したものである。即ち、このステップＳ１４４では、前記ステップＳ１４２で取得された非妊娠時の基礎代謝量と前記ステップＳ１４３で取得された妊娠後のエネルギー増加量とを合算すること（非妊時ＢＭＲ＋妊娠後のエネルギー増加量）によって、被測定者たる妊婦の基礎代謝量が算出されるものである。尚、このステップＳ１４４では、基礎代謝量の算出に加えて、前記ステップＳ１５における場合と同様に、被測定者の体水分量、筋肉量、骨量等といった他の体組成データも算出されるものである。
【００７０】
図７は、ステップＳ１６における印刷出力の例を表す図である。図４及び図５のフローチャートに従って取得された各種のデータが、一覧表示されている。尚、「基礎代謝量」の下に掲載されている「総消費エネルギー」及び「エネルギー所要量」は、何れも基礎代謝量をベースとして算出されるものであって、前掲非特許文献１を始めとして良く知られている。即ち、総消費エネルギーは、前記ステップＳ１５又は前記ステップＳ１４４で算出された基礎代謝量に、前記ステップＳ９で取得された生活活動強度データを乗ずることで算出される。また、エネルギー所要量は、非妊娠者の場合は総消費エネルギーと同一であるが、妊婦の場合にはこの総消費エネルギーに３５０ｋｃａｌを加算することで算出される。これらの計算処理は、前記ステップＳ１５及び前記ステップＳ１４４において、他の体組成データと共に算出すればよい。
【００７１】
尚、本実施例では採用していないが、この装置１で取得され又は算出された各種のデータを、その被測定者を特定するための氏名や識別番号、識別コード等といった情報とセットでメモリ１８や外部の記憶装置（装置１に対して着脱可能な記憶媒体や、記憶装置を内蔵したコンピュータシステム等であって良い。）に蓄積してゆくことも可能である。斯かるデータ蓄積を行えば、当該被測定者個人に関する各種データの変化履歴を適時に参照することが可能であるばかりでなく、例えば、前記ステップＳ１０２における非妊娠時（妊娠前）の体重データ入力に代えて、蓄積されている体重データから非妊娠時の体重データとして適切なデータを読み出すことも可能となる。
【００７２】
以上、説明してきたように、本発明の実施例たる基礎代謝量測定装置１においては、主に操作部７と制御部１５とで年齢データ取得手段、身長データ取得手段、妊娠期間データ取得手段、及び非妊娠時年齢データ取得手段が構成され、主に体重測定センサ２Ａと制御部１５とで体重データ取得手段が構成され、主に操作部７と体重測定センサ２Ａと制御部１５とで体重増加量データ取得手段が構成され、主に電極５Ａ、５Ｂ、６Ａ、６Ｂと定電圧発生回路１６と電圧測定回路１７と制御部１５とでインピーダンスデータ取得手段が構成され、主に制御部１５とメモリ１８とで除脂肪量データ取得手段及び基礎代謝量算出手段が構成されており、除脂肪量データ取得手段たる制御部１５は、ステップＳ１４１の如く少なくとも身長データと体重データとインピーダンスデータと妊娠後の体重増加量データとに基づいて被測定者たる妊婦の非妊娠時の除脂肪量データを算出し、基礎代謝量算出手段たる制御部１５は、ステップＳ１４２の如く少なくとも非妊娠時の除脂肪量データと年齢データとに基づいて被測定者たる妊婦の非妊娠時の基礎代謝量を算出すると共に、ステップＳ１４３の如く妊娠期間データに基づいて妊娠後のエネルギー増加量を算出し、且つ、ステップＳ１４４の如くこれら非妊娠時の基礎代謝量と妊娠後のエネルギー増加量とを合算することによって、被測定者たる妊婦の基礎代謝量を算出するものである。
【００７３】
特に、この基礎代謝量測定装置１においては、除脂肪量データ取得手段たる制御部１５が、ステップＳ１４１１の如く少なくとも身長データと体重データとインピーダンスデータとに基づいて体脂肪量データを算出する体脂肪量データ算出手段と、ステップＳ１４１３の如く体重増加量データに所定の比率たる５８％（０．５８）を乗じることによって得られた値を妊娠後の体脂肪変化量データと決定する体脂肪変化量データ決定手段と、ステップＳ１４１４及びステップＳ１４１５の如く体脂肪量データと体脂肪変化量データとに基づいて非妊娠時の除脂肪量データを算出する非妊娠時除脂肪量データ算出手段とを含んでなるものである。
【００７４】
また、この基礎代謝量測定装置１においては、体重増加量データ取得手段たる操作部７と体重測定センサ２Ａと制御部１５とが、ステップＳ１０２の如く被測定者たる妊婦の非妊娠時の体重データを取得する非妊娠時体重データ取得手段と、ステップＳ１４１２の如く非妊娠時の体重データと体重センサ２Ａで測定された体重データとに基づいて妊娠後の体重増加量データを算出する体重増加量データ算出手段とを含んでなるものである。
【００７５】
更に、この基礎代謝量測定装置１においては、妊娠期間データ取得手段たる操作部７と制御部１５とが、ステップＳ１又はステップＳ３の如く測定日データを取得する測定日データ取得手段と、ステップＳ１０１の如く出産予定日データを取得する出産予定日データ取得手段と、同ステップＳ１０１の如くこれら測定日データと出産予定日データとに基づいて妊娠後の経過期間データを決定する妊娠期間データ決定手段とを含んでなるものである。
【００７６】
更に、この基礎代謝量測定装置１においては、非妊娠時年齢データ取得手段たる操作部７と制御部１５とが、ステップＳ７の如く生年月日データを取得する生年月日データ取得手段と、ステップＳ１０１の如く出産予定日データを取得する出産予定日データ取得手段と、同ステップＳ１０１の如くこれら生年月日データと出産予定日データとに基づいて非妊娠時の年齢データを決定する非妊娠時年齢データ決定手段とを含んでなるものである。
【００７７】
以上の構成により、この基礎代謝量測定装置１は、被測定者たる妊婦の基礎代謝量を簡便に、且つ、正確に測定し得るものである。尚、本発明は、斯かる実施例の構成に限定される必要はなく、既に説明した変形はもちろんのこと、特許請求の範囲に記載した構成を逸脱しない限りにおいて、種々の変形、応用が可能である。
【図面の簡単な説明】
【００７８】
【図１】本発明の実施例たる基礎代謝量測定装置１の外観斜視図である。
【図２】基礎代謝量測定装置１の操作部の拡大図である。
【図３】基礎代謝量測定装置１の電気回路構成を表す概略図である。
【図４】基礎代謝測定装置１で実行される制御処理プログラムのメインルーチンを表すフローチャートである。
【図５】基礎代謝測定装置１で実行される制御処理プログラムのサブルーチンを表すフローチャートである。
【図６】妊娠週数と妊娠後のエネルギー増加量との関係を表す図である。
【図７】基礎代謝量測定装置１における印刷出力例を表す図である。
【図８】厚生労働省の基礎代謝量算出方法を検証した図である。
【図９】特許文献１の基礎代謝量演算方法を検証した図である。
【符号の説明】
【００７９】
１  基礎代謝量測定装置（体組成計）
２  載台
２Ａ  体重測定センサ
３  入出力ユニット
４  支柱
５Ａ、５Ｂ、６Ａ、６Ｂ  電極
７  操作部
８  表示部
９  印刷部
１０  電源キー
１１  風袋量設定キー
１２  日時設定キー
１３  ステータス設定キー
１４  テンキー
１５  制御部
１６  定電流発生回路
１７  電圧測定回路
１８  メモリ
１９  時計回路
２０  電源
【図１】
2006288678.tif 000003
【図２】
2006288678.tif 000004
【図３】
2006288678.tif 000005
【図４】
2006288678.tif 000006
【図５】
2006288678.tif 000007
【図６】
2006288678.tif 000008
【図７】
2006288678.tif 000009
【図８】
2006288678.tif 000010
【図９】
2006288678.tif 000011